(57)【要約】【課題】裏面に形成された配管溝に温水パイプを収容する温水暖房床材において、その床暖房使用時の熱的影響によって、温水暖房床材の長辺に沿った直線部分の配管溝を基点とする僅かな歪みが生じるのを抑制し、化粧層表面への配管溝直線部の筋状模様となった浮き上りの現出を防止し、化粧外観を美麗に保持する。【解決手段】配管溝３において、床基材１の長さ方向に延びる直線相当部分の少なくとも一部を、直線部分が少なくなるよう床基材１の平面視で略波形状に湾曲形成する。【選択図】図１
2006266614.tif 000002
【特許請求の範囲】
【請求項１】
長尺の床基材の表面側に化粧層が設けられている一方、裏面側に、温水パイプを収容する配管溝が設けられてなる温水暖房床材において、
上記配管溝のうち、床基材の長さ方向に沿って延びる長さ方向平行部分の少なくとも一部分が、床基材の平面視で略波形状に湾曲して形成されていることを特徴とする温水暖房床材。
【請求項２】
請求項１の温水暖房床材において、
化粧層は、平滑な合成樹脂化粧シートの表面に透明性合成樹脂塗料を塗布して形成されていることを特徴とする温水暖房床材。
【発明の詳細な説明】
【技術分野】
【０００１】
本発明は、裏面に温水パイプが収容された装飾性の良い温水暖房床材に関し、特に、温水パイプのパターンが化粧層表面に微妙な筋模様となって現れて、表面の装飾外観が著しく損なわれるのを防止するための技術分野に関するものである。
【背景技術】
【０００２】
従来から、合板等からなる長尺の床基材の表面側に木質化粧単板等の化粧層を貼着して表面化粧床板とする一方、床基材の裏面側に配管溝を設けて、その配管溝に給湯装置に接続された温水パイプを収容するようにした温水暖房床材はよく知られている。
【０００３】
特許文献１に示すものはその一例であり、このものでは、長尺床基材の裏面に、温水パイプ（配管溝）を床基材全体に拡がるように略蛇行状にかつ屈曲部以外の部分は直線的に配置し、その床基材の表面には突板や木目模様印刷化粧シートを貼着してクリアー塗装を行った化粧層が形成されている。
【特許文献１】特開平１１−３０４１７２号公報（特に、図１）
【発明の開示】
【発明が解決しようとする課題】
【０００４】
ところで、本願の発明者の研究、実験によれば、上記のような温水暖房床材において、その表面化粧層が、平滑な表面を有する石目柄等の合成樹脂化粧シートであると、化粧層の表面に、温水パイプを収容した配管溝の特にその床材の長さ方向に沿った長い直線部分が暖房使用時等に微妙な筋状模様となって浮き上がるように現出することがあり、それが目立って化粧外観を著しく減じることがあるという知見が得られた。
【０００５】
このような現象は、化粧層表面に光沢性がある場合や、表面化粧層が石目柄等の直線部分の少ない柄である場合に現出し易い傾向にある。しかし、表面化粧層が導管溝等の微小な凹凸のある突板や木目模様印刷化粧シートを用いた上記従来の化粧層の場合にも、目立ち難いことはあるものの、同様の現象を生じていると考えられる。
【０００６】
その要因としては、床暖房使用時の熱的影響によって、温水暖房床材の特にその長さ方向に沿った長い直線部分の配管溝に、この配管溝の上部（底部）を基点とする僅かな反り等の歪みが生じ易くなり、この僅かな歪みの影響が化粧層表面に筋状模様となって現出すると推定される。特に、化粧層表面に光沢のある場合は僅かの歪みでもその影響を受け易く、木目模様のように筋状模様を含む模様でない石目模様等の場合にも不自然に目立ってしまうことになる。
【０００７】
本発明は斯かる諸点に鑑みてなされたものであり、その目的は、温水パイプを収容する配管溝のレイアウト形状に工夫を凝らすことにより、床暖房使用時の熱的影響によって、温水暖房床材の長さ方向に沿った長い直線部分の配管溝を基点とする僅かな歪みが生じるのを抑制して、化粧層表面への筋状模様の浮き上りの現出を防止し、温水暖房床材の装飾外観性を向上維持することにある。
【課題を解決するための手段】
【０００８】
上記の目的を達成するために、この発明では、配管溝のうち、床材の長さ方向に沿った部分は長い直線状にするのではなくて、床基材の平面視で略波形状となる湾曲状にするようにした。
【０００９】
具体的には、請求項１の発明では、長尺の床基材の表面側に化粧層が設けられている一方、裏面側に、温水パイプを収容する配管溝が設けられてなる温水暖房床材において、上記配管溝のうち、床基材の長さ方向に沿って延びる長さ方向平行部分の少なくとも一部分が、床基材の平面視で略波形状に湾曲して形成されていることを特徴とする。
【００１０】
上記の構成によると、配管溝のうち床基材の長さ方向に沿って長く延びる、従来の直線相当部分の少なくとも一部分が、床基材の平面視で略波形状に湾曲形成されているので、配管溝には、床基材の長さ方向に沿って延びる長い直線部分がなくなり、配管溝の上部を基点とするような僅かな反り等の歪みの発生が防止され、これに起因する化粧層表面の筋状模様の現出という不具合の発生をなくすことができる。
【００１１】
請求項２の発明では、上記化粧層は、平滑な合成樹脂化粧シートの表面に透明性合成樹脂塗料を塗布して形成されているものとする。
【００１２】
このことで、化粧層として、平滑な合成樹脂化粧シートの表面に透明性合成樹脂塗料を塗布した光沢性のあるものを用いると、筋状模様の発生し易い化粧層となるが、このような化粧層においても、筋状模様の発生を確実に抑制することができる。
【発明の効果】
【００１３】
以上説明したように、請求項１の発明の温水暖房床材によると、配管溝のうち、床基材の長さ方向に延びる直線相当部分を、直線部分がないか或いは少なくなるように床基材の平面視で略波形状に形成したことにより、この部分の配管溝の上部を基点とするような僅かな反り等の歪みの発生を防止できるようになり、これに起因する化粧層表面の筋状模様の現出という不具合の発生をなくし、暖房使用時の温水暖房床材の表面外観を美麗に保つことができる。
【００１４】
請求項２の発明の温水暖房床材によると、化粧層として、平滑な合成樹脂化粧シートの表面に透明性合成樹脂塗料を塗布した光沢性のあるものを用いたことにより、筋状模様の発生し易い化粧層であっても、その筋状模様の発生を確実に抑制することができる。
【発明を実施するための最良の形態】
【００１５】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００１６】
（実施形態１）
図１は本発明の実施形態１に係る第１及び第２の温水暖房床材Ａ１，Ａ２を示す。この各温水暖房床材Ａ１，Ａ２は、図２に示すように、合板等からなる長尺の床基材１と、この床基材１の表面側に形成された化粧層２とからなる。また、床基材１の裏面側には配管溝３が形成され、この配管溝３に、内部を温水が通る温水パイプ４が収容されるようになっている。
【００１７】
尚、本実施形態では、第１及び第２の２枚の温水暖房床材Ａ１，Ａ２が組み合わされて用いられ、両温水暖房床材Ａ１，Ａ２は、各々の長さ方向の一端部において、連続した温水パイプ４で連結されている。
【００１８】
また、図３に示すように、床基材１の裏面側には、一部が配管溝３の内底部まで位置するように裏面全体に亘り配置された第１均熱材５と、一部が配管溝３を塞いで支持するように裏面全体に亘り配置接着された第２均熱材６とが設けられている。
【００１９】
温水暖房床材Ａ１，Ａ２の上記各構成要素について詳細に説明する。
【００２０】
［長尺床基材］
上記長尺床基材１は、例えば幅３０３ｍｍ、長さ９００ｍｍ（又は１８１８ｍｍ、２７１８ｍｍ）、厚さ１１．７ｍｍの板形状のものが用いられるが、これ以外の幅、長さ、厚さを有する長尺床基材を用いることもできる。
【００２１】
また、長尺床基材１の材質は、合板、ＭＤＦ、集成材、ＬＶＬ、パーティクルボード、木材、木材単板等の木質材料や火山性ガラス質複層板（例えば大建工業株式会社製の商品名「ダイライト」等）、或いはそれらの２種以上を複合した複合材料を好適に用いることができる。このような複合材料としては、例えば合板の表面に０．５ｍｍ〜３．０ｍｍの薄いＭＤＦを貼着したもの等を挙げることができる。
【００２２】
上記床基材１の幅方向一端部（図１で上端部）及び長さ方向一端部（図１で左端部）の各側端面にはそれぞれ雌実部１ａ，１ａが形成されている一方、床基材１の幅方向他端部（図１で下端部）及び長さ方向他端部（図１で右端部）の各側端面にはそれぞれ雄実部１ｂ，１ｂが形成されており、隣接する温水暖房床材（組の温水暖房床材Ａ１，Ａ２も含む）の床基材１，１同士を雌実部１ａと雄実部１ｂとの実結合によって施工するようにしている。
【００２３】
［化粧層］
上記化粧層２は特に限定されるものでないが、本実施形態では、長尺床基材１の表面に貼着され、テラコッタ調等の石目模様がグラビア印刷や転写印刷等により印刷された表面の平滑なオレフィン樹脂化粧シート２ａと、この化粧シート２ａの表面にウレタン系透明性樹脂塗料を塗布して形成した透明性樹脂塗膜層２ｂとで構成されている。この化粧層２は、表面に適度な光沢を有しているものである。
【００２４】
［配管溝］
上記配管溝３は、溝幅（開口幅）が例えば８ｍｍで、溝深さが例えば７．５ｍｍの断面略Ｕ状のものである（尚、これに限らず、床基材１の厚さや材質等に応じて溝幅や深さ、断面形状等を設定することができる）。この配管溝３は、図１に示すように、一端部が床基材１の長さ方向一端側（図１で左側）に位置する一方、他端部が床基材１の長さ方向他端側（図１で右側）に位置し、主として床基材１の幅方向一側（図１で上側）を床基材１の長さ方向に沿って延びる往部３ａと、一端部が床基材１の長さ方向他端側に位置する一方、他端部が床基材１の長さ方向一端側に位置し、主として床基材１の幅方向他側（図１で下側）を床基材１の長さ方向に沿って延びる復部３ｂと、これら往部３ａの他端部及び復部３ｂの一端部を連続する蛇行状に湾曲した折返し部３ｃとに分けられている。
【００２５】
上記配管溝３における往部３ａ及び復部３ｂの各々の途中には、床基材１の幅方向中央位置を越えて相手側に近付くように略ループ状に蛇行する複数（例えば４つ）の蛇行部３ｄ，３ｄ，…が形成されており、この各蛇行部３ｄは、温水パイプ４によって温水暖房床材Ａ１，Ａ２を暖める部位をできるだけ均一にして温度ムラを防ぐために設けられる。
【００２６】
また、第１温水暖房床材Ａ１の配管溝３における往部３ａの一端部は、床基材１の幅方向他側（図１で下側）に位置するように、また第２温水暖房床材Ａ２の配管溝３における復部３ｂの他端部は、床基材１の幅方向一側（図１で上側）に位置するようにそれぞれ床基材１の幅方向に延びている。
【００２７】
さらに、第１温水暖房床材Ａ１の配管溝３における復部３ｂの他端部は床基材１の幅方向他側（図１で下側）の側端面に、また第２温水暖房床材Ａ２の配管溝３における往部３ａの一端部は床基材１の幅方向一側（図１で上側）の側端面にそれぞれ開口しており、温水暖房床材Ａ１，Ａ２を施工したときに、これら両端部が対応して連続するようになっている。
【００２８】
そして、本発明の特徴として、温水暖房床材Ａ１，Ａ２の配管溝３における往部３ａ及び復部３ｂのうち、蛇行部３ｄを除く部分、つまり床基材１の長さ方向に沿って延びる長さ方向平行部分は、床基材１の平面視で略波形状（例えば略正弦波形状）で細かくうねるように湾曲して形成されている。この波形状のピッチは例えば約１００ｍｍで、その振幅は例えば約１６ｍｍである。
【００２９】
尚、往部３ａ及び復部３ｂの各蛇行部３ｄのうち、床基材１の長さ方向に沿って延びる部分は、長さが短いため、この部分の配管溝３の上部を基点とする僅かな反り等の歪みは生じ難いので、直線状に形成してあるが、この蛇行部３ｄの直線状部分を、上記平面視で略波形状で細かくうねるように湾曲して形成しておくこともできるのは言うまでもない。
【００３０】
［温水パイプ］
上記両温水暖房床材Ａ１，Ａ２の各々の配管溝３内部ないし両温水暖房床材Ａ１，Ａ２間に、１本の連続する温水パイプ４が収容されている。この温水パイプ４は、ポリエチレン樹脂製パイプのような柔軟な合成樹脂製のものが、配管溝３への取付けや施工がし易いので好ましい。また、温水パイプ４は、その外径が例えば７．２ｍｍ、内径が５ｍｍのものが用いられる。
【００３１】
両温水暖房床材Ａ１，Ａ２の間に位置する温水パイプ４は、上記第１温水暖房床材Ａ１の配管溝３における復部３ｂの他端部と、第２温水暖房床材Ａ２の配管溝３における往部３ａの一端部との間に亘って延びている。また、温水パイプ４の両端部は、上記第１温水暖房床材Ａ１の配管溝３における往部３ａの一端部と、第２温水暖房床材Ａ２の配管溝３における復部３ｂの他端部とに位置し、この位置でそれぞれパイプ状の接続継手８，８に液密状に接続されている。この各接続継手８は床基材１（温水暖房床材Ａ１，Ａ２）の下側に垂れ下がるように延びており（図１では、説明のために水平状に描いている）、この両接続継手８，８の一方（例えば第１温水暖房床材Ａ１側）が給湯継手に、また他方（例えば第２温水暖房床材Ａ２側）が排湯継手にそれぞれ構成されて、いずれも図外のヘッダを介して給湯装置に接続されており、給湯装置から供給された温水を給湯継手を経て温水パイプ４に供給し、その温水を温水暖房床材Ａ１，Ａ２の配管溝３内の温水パイプ４に流して温水暖房床材Ａ１，Ａ２の加熱に利用した後、排湯継手を経て温水パイプ４から排出して給湯装置に戻すようにしている。
【００３２】
尚、上記第１温水暖房床材Ａ１の配管溝３における復部３ｂの他端部近く、及び第２温水暖房床材Ａ２の配管溝３における往部３ａの一端部近くには、他の部分よりも部分的に溝幅の広い逃がし部３ｅが形成されており、両温水暖房床材Ａ１，Ａ２をその長さ方向側端面同士を当接するように実接合して施工し、それに伴って施工前に両温水暖房床材Ａ１，Ａ２間にあった温水パイプ４を温水暖房床材Ａ１，Ａ２内に押し込んだときに、その温水パイプ４を逃がし部３ｅ内で移動させて寸法差を吸収するようにしている。
【００３３】
［均熱材］
上記第１均熱材５は、例えば厚さ５０μｍのアルミニウムシート等からなる。一方、第２均熱材６は、裏面に例えば厚さ４０μｍの紙を接着して補強したアルミニウムシート等からなる。これら両均熱材５，６間に温水パイプ４を包んで、その温水パイプ４の熱を床基材１の全体に伝導するようにしている。また、第２の均熱材６は、配管溝３に収容された温水パイプ４が配管溝３から脱落しないように支持する役割も担っている。
【００３４】
したがって、この実施形態においては、温水暖房床材Ａ１，Ａ２の床基材１裏面に設けられた配管溝３のうち、往部３ａ及び復部３ｂにおいて蛇行部３ｄを除いた、床基材１の長さ方向に沿って延びる部分が、床基材１の平面視で略波形状に湾曲形成されているので、配管溝３の形成による床基材１の反り等に対抗する強度が、直線状の配管溝３を形成する場合に比べて大幅に改善され、温水パイプ４内に温水を流した状態の床暖房時、配管溝３の上部を基点とするような僅かな反り等の歪みの発生を防止することができ、平滑な合成樹脂化粧シート２ａの表面に透明性合成樹脂塗料を塗布した光沢性のある化粧層２であっても、上記歪みに起因する化粧層２表面の筋状模様の現出という不具合の発生をなくすことができる。
【００３５】
（実施形態２）
図４は本発明の実施形態２を示し（尚、図１〜図３と同じ部分については同じ符号を付してその詳細な説明は省略する）、配管溝３、従ってその内部に収容される温水パイプ４の配置レイアウトを変えたものである。
【００３６】
この実施形態では、各温水暖房床材Ａ１，Ａ２における床基材１の配管溝３は、第１及び第２往部３ａ，３ａ′と第１及び第２復部３ｂ，３ｂ′とを有する。第１往部３ａは床基材１の幅方向一側部（図４で上側部）を、また第２往部３ａ′は床基材１の幅方向中央よりもやや他側（図４で下側）寄りをそれぞれ床基材１の長さ方向に沿って延びている。また、第１復部３ｂは床基材１の幅方向中央よりもやや一側（図４で上側）寄りを、また第２復部３ｂ′は床基材１の幅方向他側部（図４で下側部）をそれぞれ床基材１の長さ方向に沿って延びている。
【００３７】
上記第１の復部３ｂと第２の往部３ａ′とは温水暖房床材Ａ１，Ａ２の一端部（図４左側端）の折返し部３ｃ′で連続し、第１往部３ａと第１復部３ｂとは、また第２往部３ａ′と第２復部３ｂ′とはそれぞれ温水暖房床材Ａ１，Ａ２の他端部（図４右側端）の折返し部３ｃ′，３ｃ′で連続している。
【００３８】
そして、各往部３ａ，３ａ′及び各復部３ｂ，３ｂ′（床基材１の長さ方向に沿って延びる長さ方向平行部分）は、いずれも床基材１の平面視で略波形状（例えば略正弦波形状）で細かくうねるように湾曲して形成されている。
【００３９】
その他の構成は実施形態１と同じである。よって、この実施形態でも実施形態１と同様の作用効果を奏することができる。
【００４０】
尚、本実施形態２においては、上記配管溝３の各往部３ａ，３ａ′及び各復部３ｂ，３ｂ′は、その長さ方向全長に亘り平面視で略波形状で細かくうねるように湾曲して形成されているものを示したが、これに限るものではなく、その一部が例えば４００ｍｍ長未満の短い直線部を複数有し、他の部分が上記平面視で略波形状に湾曲して形成しておくこともできる。
【００４１】
（その他の実施形態）
尚、上記各実施形態では、化粧層２は、平滑な合成樹脂化粧シート２ａの表面に透明性合成樹脂塗料を塗布して形成されているものとしているが、本発明は、表面化粧層が導管溝等の微小な凹凸のある突板や木目模様印刷化粧シートを用いたものである場合等、その他の化粧層であっても適用することができる。
【００４２】
また、各実施形態では、２枚の温水暖房床材Ａ１，Ａ２を１組として組み合わせたものを用いているが、１枚のみの温水暖房床材を用いるものでもよい。
【実施例】
【００４３】
次に、具体的に実施した例について説明する。
【００４４】
（実施例）
この実施例は、上記実施形態２の構成を持つもので、幅３０３ｍｍ、長さ２７１８ｍｍ、厚さ１１．７ｍｍの合板からなる長尺床基材の表面に、厚さ０．３ｍｍのテラコッタ調石目模様がグラビア印刷された表面平滑なオレフィン樹脂化粧シートを水系ビニルウレタン樹脂接着剤で接着し、その表面にウレタン系透明性塗料を塗布することで、表面に光沢のある化粧層を設けた。
【００４５】
また、床基材の裏面側には、図４に示すようなパターンで、長さ方向に４列となって連続する溝幅８ｍｍ、溝深さ７．５ｍｍの配管溝を設け、その床基材長さ方向に沿った部分をピッチ１００ｍｍの略正弦波形状に湾曲させた。
【００４６】
この配管溝に５０μｍ厚のアルミシートからなる第１均熱材を介して外径７．２ｍｍ、内径５ｍｍの架橋ポリエチレン製温水パイプを収容し、その長尺床基材を含む裏面全面に、厚さ４０μｍの紙を裏打ちしたアルミニウムシートからなる第２均熱材を貼着して温水暖房床材を得た。
【００４７】
（比較例）
比較例は、配管溝の床基材長さ方向に沿った部分を、実施例のように略正弦波形状に湾曲させずに、直線状としたものである。その他は実施例と同じ構成とした。
【００４８】
そして、この実施例及び比較例の温水パイプに６０℃の温水を２週間続けて供給して、その化粧層表面の状態を観察したところ、実施例では、化粧層表面への配管溝の影響は殆ど認められず、また床材の長さ方向に反りの発生もなく、良好な化粧層表面を有していた。
【００４９】
これに対し、比較例では、化粧層の表面に配管溝と長さ方向の僅かな反りの影響と思われる筋状模様が現出し、化粧層表面の石目模様外観を損なっていた。
【００５０】
以上のことから、本発明の有効性が明らかであることが判った。
【産業上の利用可能性】
【００５１】
本発明は、温水暖房床材の使用時の外観を美麗に保持できる効果を有するので、極めて有用で産業上の利用可能性が高い。
【図面の簡単な説明】
【００５２】
【図１】図１は、本発明の実施形態１に係る温水暖房床材を裏面側から見た平面図である。
【図２】図２は、図１のII−II線断面図である。
【図３】図３は、配管溝及びその内部に収容された温水パイプの拡大断面図である。
【図４】図４は、実施形態２を示す図１相当図である。
【符号の説明】
【００５３】
Ａ１，Ａ２  温水暖房床材
１  床基材
２  化粧層
２ａ  樹脂化粧シート
２ｂ  透明性樹脂塗膜層
３  配管溝
４  温水パイプ
【図１】
2006266614.tif 000003
【図２】
2006266614.tif 000004
【図３】
2006266614.tif 000005
【図４】
2006266614.tif 000006